(57)【特許請求の範囲】
【請求項１】
複数の住戸にそれぞれ設けられた複数の住戸端末と、
前記複数の住戸にそれぞれ設けられた複数の扉をそれぞれ施錠又は解錠する複数の電気錠と、
集合住宅の共用スペースに設置されて前記複数の住戸端末の各々と通信する共用端末と、
前記複数の住戸端末の各々と前記共用端末との間の通信を中継する通信制御装置と、を備え、
前記複数の住戸端末と前記複数の電気錠とは、一対一に対応しており、
前記複数の電気錠の各々は、第１通信部を有し、
前記複数の住戸端末の各々は、前記複数の電気錠のうち自己に対応する電気錠の前記第１通信部と通信する第２通信部を有しており、
前記複数の住戸端末及び前記複数の電気錠のうち互いに対応する住戸端末及び電気錠間において、前記第１通信部及び前記第２通信部が、前記電気錠を施錠又は解錠する際に使用される鍵の情報を伝送するように構成されており、
前記通信制御装置は、前記複数の住戸端末及び前記共用端末のうち少なくとも一方から送信される情報を中継するように構成されている
ことを特徴とする集合住宅用インターホンシステム。
【請求項２】
前記複数の住戸端末の各々は、前記複数の電気錠のうち自己に対応する電気錠に使用される前記鍵の前記情報を登録する住戸登録部をさらに有している
ことを特徴とする請求項１記載の集合住宅用インターホンシステム。
【請求項３】
前記共用端末は、前記複数の電気錠にそれぞれ使用される複数の前記鍵の前記情報を登録する共用登録部を有している
ことを特徴とする請求項１記載の集合住宅用インターホンシステム。
【請求項４】
前記通信制御装置は、前記共用登録部で登録された前記複数の情報を記憶する記憶部を有している
ことを特徴とする請求項３記載の集合住宅用インターホンシステム。
【請求項５】
前記共用端末及び前記通信制御装置のうち前記複数の情報を有する少なくとも一方は、前記複数の住戸端末のうちいずれかの住戸端末から要求があると、前記複数の情報のうち要求元の前記住戸端末に対応する前記電気錠に使用される前記鍵の前記情報を前記要求元の前記住戸端末に送信する情報送信部をさらに有している
ことを特徴とする請求項３又は４記載の集合住宅用インターホンシステム。
【請求項６】
前記共用端末及び前記通信制御装置のうち前記複数の情報を有する少なくとも一方は、イベントが発生すると、前記複数の住戸端末の各々に対して、前記複数の情報のうち前記複数の住戸端末の各々に対応する前記電気錠に使用される前記鍵の前記情報を送信する情報送信部をさらに有している
ことを特徴とする請求項３又は４記載の集合住宅用インターホンシステム。
【請求項７】
前記第１通信部及び前記第２通信部は、前記鍵の情報を有線通信により伝送するように構成されている
ことを特徴とする請求項１〜６のいずれか１項に記載の集合住宅用インターホンシステム。
【請求項８】
複数の住戸にそれぞれ設けられた複数の住戸端末と、
集合住宅の共用スペースに設置されて前記複数の住戸端末の各々と通信する共用端末と、
前記複数の住戸端末の各々と前記共用端末との間の通信を中継する通信制御装置と、を備え、
前記複数の住戸端末と前記複数の住戸にそれぞれ設けられた複数の扉をそれぞれ施錠又は解錠する複数の電気錠とは、一対一に対応しており、
前記複数の電気錠の各々は、第１通信部を有し、
前記複数の住戸端末の各々は、前記複数の電気錠のうち自己に対応する電気錠の前記第１通信部と通信する第２通信部を有しており、
前記複数の住戸端末及び前記複数の電気錠のうち互いに対応する住戸端末及び電気錠間において、前記第１通信部及び前記第２通信部が、前記電気錠を施錠又は解錠する際に使用される鍵の情報を伝送するように構成されており、
前記通信制御装置は、前記複数の住戸端末及び前記共用端末のうち少なくとも一方から送信される情報を中継するように構成されている
ことを特徴とする集合住宅用インターホンシステム。
【発明の詳細な説明】
【技術分野】
【０００１】
本発明は、一般に集合住宅用インターホンシステムに関し、より詳細にはマンション等の集合住宅に用いられる集合住宅用インターホンシステムに関する。
【背景技術】
【０００２】
従来、マンション等の集合住宅に用いられる集合住宅用インターホンシステムが提供されている（例えば特許文献１参照）。特許文献１に記載の集合住宅用インターホンシステムは、インターホン親機と、警報監視盤と、ロビーインターホンとを備えている。インターホン親機は、集合住宅の各住戸に設置されており、インターホン親機にはドアホン子器及び防犯センサが接続されている。警報監視盤は、管理人室等に設置されており、インターホン親機の異常検知信号を受信する。ロビーインターホンは、住棟の玄関口に設置されている。これらのインターホン親機、警報監視盤、及びロビーインターホンは、伝送線及び分岐器を介して接続されている。
【先行技術文献】
【特許文献】
【０００３】
【特許文献１】特開２００９−７７２３５号公報
【発明の概要】
【発明が解決しようとする課題】
【０００４】
上述の特許文献１に記載のような集合住宅用インターホンシステムでは、住戸の玄関ドアに取り付けられた電気錠に、この電気錠を施錠又は解錠する際に使用される鍵の情報が登録されるが、この情報をインターホン親機（住戸端末）で活用することができなかった。
【０００５】
本発明は上記課題に鑑みてなされており、電気錠を施錠又は解錠する際に使用される鍵の情報を住戸端末で活用することができる集合住宅用インターホンシステムを提供することを目的とする。
【課題を解決するための手段】
【０００６】
本発明の一態様に係る集合住宅用インターホンシステムは、複数の住戸端末と、複数の電気錠と、共用端末と、通信制御装置と、を備えている。前記複数の住戸端末は、複数の住戸にそれぞれ設けられている。前記複数の電気錠は、前記複数の住戸にそれぞれ設けられた複数の扉をそれぞれ施錠又は解錠する。前記共用端末は、集合住宅の共用スペースに設置されて前記複数の住戸端末の各々と通信する。前記通信制御装置は、前記複数の住戸端末の各々と前記共用端末との間の通信を中継する。前記複数の住戸端末と前記複数の電気錠とは、一対一に対応している。前記複数の電気錠の各々は、第１通信部を有している。前記複数の住戸端末の各々は、前記複数の電気錠のうち自己に対応する電気錠の前記第１通信部と通信する第２通信部を有している。前記複数の住戸端末及び前記複数の電気錠のうち互いに対応する住戸端末及び電気錠間において、前記第１通信部及び前記第２通信部が、前記電気錠を施錠又は解錠する際に使用される鍵の情報を伝送するように構成されている。前記通信制御装置は、前記複数の住戸端末及び前記共用端末のうち少なくとも一方から送信される情報を中継するように構成されている。
本発明の一態様に係る集合住宅用インターホンシステムは、複数の住戸端末と、共用端末と、通信制御装置と、を備えている。前記複数の住戸端末は、複数の住戸にそれぞれ設けられている。前記共用端末は、集合住宅の共用スペースに設置されて前記複数の住戸端末の各々と通信する。前記通信制御装置は、前記複数の住戸端末の各々と前記共用端末との間の通信を中継する。前記複数の住戸端末と前記複数の住戸にそれぞれ設けられた複数の扉をそれぞれ施錠又は解錠する複数の電気錠とは、一対一に対応している。前記複数の電気錠の各々は、第１通信部を有している。前記複数の住戸端末の各々は、前記複数の電気錠のうち自己に対応する電気錠の前記第１通信部と通信する第２通信部を有している。前記複数の住戸端末及び前記複数の電気錠のうち互いに対応する住戸端末及び電気錠間において、前記第１通信部及び前記第２通信部が、前記電気錠を施錠又は解錠する際に使用される鍵の情報を伝送するように構成されている。前記通信制御装置は、前記複数の住戸端末及び前記共用端末のうち少なくとも一方から送信される情報を中継するように構成されている。
【発明の効果】
【０００７】
本発明は、電気錠を施錠又は解錠する際に使用される鍵の情報を住戸端末で活用することができる、という利点がある。
【図面の簡単な説明】
【０００８】
【図１】図１は、本発明の一実施形態に係る集合住宅用インターホンシステムのブロック図である。
【図２】図２は、同上の集合住宅用インターホンシステムにおいて住戸端末で登録された鍵の情報の伝送手順を説明するシーケンス図である。
【図３】図３は、同上の集合住宅用インターホンシステムにおいて共用端末で登録された鍵の情報の伝送手順を説明するシーケンス図である。
【発明を実施するための形態】
【０００９】
以下、本発明の実施形態に係る集合住宅用インターホンシステム１０について、図面を参照して具体的に説明する。ただし、以下に説明する構成は、本発明の一例に過ぎず、本発明は下記の実施形態に限定されない。したがって、この実施形態以外であっても、本発明に係る技術的思想を逸脱しない範囲であれば、設計等に応じて種々の変更が可能である。
【００１０】
本実施形態の集合住宅用インターホンシステム１０は、図１に示すように、複数の住戸端末２と、複数の第１電気錠１（電気錠）とを備えている。複数の住戸端末２は、複数の住戸Ａ１にそれぞれ設けられている。複数の第１電気錠１は、複数の住戸Ａ１にそれぞれ設けられた複数の扉をそれぞれ施錠又は解錠する。複数の住戸端末２と複数の第１電気錠１とは、一対一に対応している。複数の第１電気錠１の各々は、第１通信部１２を有している。複数の住戸端末２の各々は、複数の第１電気錠１のうち自己に対応する第１電気錠１の第１通信部１２と通信する第２通信部２２を有している。複数の住戸端末２及び複数の第１電気錠１のうち互いに対応する住戸端末２及び第１電気錠１間において、第１通信部１２及び第２通信部２２が、第１電気錠１を施錠又は解錠する際に使用される鍵８の情報を伝送するように構成されている。ここに、「施錠又は解錠する」とは、「施錠」のみを行う場合と、「解錠」のみを行う場合と、「施錠」及び「解錠」の両方を行う場合とを含む。
【００１１】
以下、本実施形態の集合住宅用インターホンシステム１０について詳細に説明する。本実施形態の集合住宅用インターホンシステム１０は、例えばマンション等の集合住宅に用いられる。本実施形態の集合住宅用インターホンシステム１０は、図１に示すように、複数（図示では２つ）の第１電気錠１と、複数（図示では２つ）の住戸端末２と、第２電気錠３と、共用端末４と、通信制御装置５とを備えている。なお、複数の第１電気錠１の構成及び機能は同等であるので、以下では、１つの第１電気錠１について構成及び機能を説明する。また、複数の住戸端末２の構成及び機能も同等であるので、以下では、１つの住戸端末２について構成及び機能を説明する。
【００１２】
複数の住戸端末２は、それぞれ複数（図示では２つ）の住戸Ａ１内に設置されている。複数の第１電気錠１は、複数の住戸Ａ１にそれぞれ設けられた複数の扉にそれぞれ取り付けられており、複数の扉をそれぞれ施錠又は解錠する。共用端末４は、例えばロビーインターホンであって、集合住宅の共用玄関（ロビー）に設置されている。第２電気錠３は、共用玄関に設けられた扉に取り付けられており、扉を施錠又は解錠する。通信制御装置５は、例えば集合住宅の管理室に設置されている。
【００１３】
共用端末４は、第１伝送路６１を介して通信制御装置５に接続されている。複数の住戸端末２は、第２伝送路６２を介して通信制御装置５に接続されている。第２伝送路６２は、幹線６２１と、複数（図示では２本）の分岐線６２２とで構成されている。幹線６２１は、通信制御装置５に接続されている。複数の分岐線６２２は、それぞれ複数の住戸端末２に接続されている。また、複数の分岐線６２２は、それぞれ幹線６２１から分岐している。複数の分岐線６２２の分岐点には、それぞれ複数（図示では２つ）の分岐器７が設けられている。複数の住戸端末２は、第３伝送路６３を介して複数の第１電気錠１にそれぞれ接続されている。また、共用端末４は、第４伝送路６４を介して第２電気錠３に接続されている。第１伝送路６１、第２伝送路６２、第３伝送路６３及び第４伝送路６４は、いずれもツイストペア線である。つまり、実際には、第１伝送路６１、第２伝送路６２、第３伝送路６３及び第４伝送路６４は二線式であるが、図面上では１本の線として表す。
【００１４】
第１電気錠１は、図１に示すように、第１制御部１１と、第１通信部１２と、認証部１３と、第１記憶部１４とを備えている。
【００１５】
第１制御部１１は、ＣＰＵ（Central Processing Unit）及びメモリ等のハードウェアと、ＣＰＵで実行されるソフトウェア（プログラム）とで構成されている。第１制御部１１は、第１通信部１２及び認証部１３を制御するように構成されている。具体的には、第１制御部１１は、第１通信部１２を制御することにより、第３伝送路６３を介して接続された住戸端末２（対応する住戸端末２）との通信を制御する。また、第１制御部１１は、居住者が使用した鍵８の認証を認証部１３に行わせる。
【００１６】
第１通信部１２は、対応する住戸端末２の第２通信部２２（後述する）との間で、第１電気錠１を施錠又は解錠する際に使用される鍵８の情報を伝送するように構成されている。本実施形態では、住戸端末２又は共用端末４において鍵８の情報が登録される構成であるため、第１通信部１２は、鍵８の情報を第２通信部２２から受信することになる。鍵８は、例えばカードキーである。鍵８に内蔵されたＩＣチップには、鍵８を識別するためのＩＤ情報（識別情報）８１が記録されている。すなわち、鍵８の情報とは、鍵８を識別するためのＩＤ情報８１のことをいう。
【００１７】
認証部１３は、第１記憶部１４に記憶されているＩＤ情報８１を取得し、取得したＩＤ情報８１に基づいて鍵８の認証を行う。具体的には、認証部１３は、第１記憶部１４から取得した鍵８のＩＤ情報８１と、居住者が使用した鍵８に記録されているＩＤ情報８１とを比較し、両者が一致していれば、鍵８が正規の鍵であると判定する。また、認証部１３は、両者が一致していなければ、鍵８が正規の鍵でないか、未登録の鍵であると判定する。
【００１８】
第１記憶部１４は、例えばフラッシュメモリ等の読み書き可能なメモリで構成されている。第１記憶部１４は、第３伝送路６３を介して住戸端末２から送られてくる鍵８のＩＤ情報８１を記憶する。なお、第１記憶部１４は、第１制御部１１の内蔵メモリであってもよい。
【００１９】
住戸端末２は、図１に示すように、第２制御部２１と、第２通信部２２と、第２記憶部２３と、住戸登録部２４と、通話部（図示せず）とを備えている。
【００２０】
第２制御部２１は、ＣＰＵ及びメモリ等のハードウェアと、ＣＰＵで実行されるソフトウェア（プログラム）とで構成されている。第２制御部２１は、第２通信部２２及び住戸登録部２４を制御するように構成されている。具体的には、第２制御部２１は、第２通信部２２を制御することにより、第３伝送路６３を介して接続された第１電気錠１との通信を制御する。また、第２制御部２１は、第２通信部２２を制御することにより、共用端末４を介した来訪者との通話を制御する。さらに、第２制御部２１は、鍵８の情報、すなわちＩＤ情報８１の登録を住戸登録部２４に行わせる。また、第２制御部２１は、居住者の操作に応じて、種々の制御（例えば、呼出に対する応答など）を実行する。
【００２１】
第２通信部２２は、第３伝送路６３を介して接続された第１電気錠１（対応する第１電気錠１）の第１通信部１２との間で、第１電気錠１を解錠又は施錠する際に使用される鍵８のＩＤ情報８１を伝送するように構成されている。本実施形態では、住戸端末２又は共用端末４においてＩＤ情報８１が登録される構成であるため、第２通信部２２は、ＩＤ情報８１を第１通信部１２に向けて送信することになる。なお、第１電気錠１の第１記憶部１４に記憶されているＩＤ情報８１を、第１通信部１２から第２通信部２２に送信するように構成されていてもよい。
【００２２】
また、第２通信部２２は、音声信号を含む通信信号を生成するように構成されている。第２通信部２２は、第２伝送路６２を介して、生成した通信信号を通信制御装置５へ送信する。また、第２通信部２２は、通信制御装置５から送信された通信信号を受信する。第２通信部２２は、受信した通信信号を復調することで、ディジタルの音声信号を復元する。そして、第２通信部２２は、復元したディジタルの音声信号を通話部に出力する。さらに、第２通信部２２は、共用端末４の共用登録部４４において鍵８のＩＤ情報８１が登録された場合には、共用端末４から送信されるＩＤ情報８１を、第１伝送路６１、第２伝送路６２及び通信制御装置５を介して受信する。
【００２３】
第２記憶部２３は、例えばフラッシュメモリ等の読み書き可能なメモリで構成されている。第２記憶部２３は、住戸登録部２４において登録された鍵８のＩＤ情報８１、又は共用端末４から送られてくるＩＤ情報８１を記憶する。なお、第２記憶部２３は、第２制御部２１の内蔵メモリであってもよい。
【００２４】
住戸登録部２４は、例えば住戸端末２に設けられたタッチパネルを含み、施工業者などがタッチパネルを操作することにより鍵８のＩＤ情報８１を登録することができる。なお、住戸登録部２４においてＩＤ情報８１を登録する場合、第３伝送路６３を介して住戸端末２に接続された第１電気錠１に使用される鍵８のＩＤ情報８１を少なくとも登録できるようになっていればよい。つまり、住戸登録部２４においてＩＤ情報８１を登録する場合には、住戸端末２ごとにＩＤ情報８１を登録することになる。
【００２５】
通話部は、マイクロホン、スピーカ、通話処理部などで構成されている。通話処理部は、第２通信部２２に接続されている。通話処理部は、第２通信部２２からのディジタルの音声信号をアナログの音声信号に変換し、変換したアナログの音声信号をスピーカに出力する。スピーカは、通話処理部からアナログの音声信号が入力されることにより、音声を出力する。また、通話処理部は、マイクロホンからのアナログの音声信号をディジタルの音声信号に変換し、変換したディジタルの音声信号を第２通信部２２に出力する。第２通信部２２は、ディジタルの音声信号を含む通信信号を生成し、生成した通信信号を共用端末４に向けて送信する。
【００２６】
第２電気錠３は、図１に示すように、第３制御部３１と、第３通信部３２と、認証部３３と、第３記憶部３４とを備えている。
【００２７】
第３制御部３１は、ＣＰＵ及びメモリ等のハードウェアと、ＣＰＵで実行されるソフトウェア（プログラム）とで構成されている。第３制御部３１は、第３通信部３２及び認証部３３を制御するように構成されている。具体的には、第３制御部３１は、第３通信部３２を制御することにより、第４伝送路６４を介して接続された共用端末４との通信を制御する。また、第３制御部３１は、居住者が使用した鍵８の認証を認証部３３に行わせる。
【００２８】
第３通信部３２は、共用端末４の第４通信部４２（後述する）との間で、鍵８のＩＤ情報８１を伝送するように構成されている。本実施形態では、住戸端末２又は共用端末４においてＩＤ情報８１が登録される構成であるため、第３通信部３２は、ＩＤ情報８１を第４通信部４２から受信することになる。
【００２９】
認証部３３は、第３記憶部３４に記憶されている鍵８のＩＤ情報８１を取得し、取得したＩＤ情報８１に基づいて鍵８の認証を行う。具体的には、認証部３３は、第３記憶部３４から取得したＩＤ情報８１と、居住者が使用した鍵８に記録されているＩＤ情報８１とを比較し、両者が一致していれば、鍵８が正規の鍵であると判定する。また、認証部３３は、両者が一致していなければ、鍵８が正規の鍵でないか、未登録の鍵であると判定する。
【００３０】
第３記憶部３４は、例えばフラッシュメモリ等の読み書き可能なメモリで構成されている。第３記憶部３４は、第４伝送路６４を介して共用端末４から送られてくる鍵８のＩＤ情報８１を記憶する。なお、第３記憶部３４は、第３制御部３１の内蔵メモリであってもよい。
【００３１】
共用端末４は、図１に示すように、第４制御部４１と、第４通信部４２と、第４記憶部４３と、共用登録部４４と、通話部（図示せず）とを備えている。
【００３２】
第４制御部４１は、ＣＰＵ及びメモリ等のハードウェアと、ＣＰＵで実行されるソフトウェア（プログラム）とで構成されている。第４制御部４１は、第４通信部４２及び共用登録部４４を制御するように構成されている。具体的には、第４制御部４１は、第４通信部４２を制御することにより、第４伝送路６４を介して接続された第２電気錠３との通信を制御する。また、第４制御部４１は、住戸端末２を介した住戸Ａ１の居住者との通話を制御する。さらに、第４制御部４１は、鍵８の情報、すなわち鍵８のＩＤ情報８１の登録を共用登録部４４に行わせる。また、第４制御部４１は、来訪者の操作に応じて、種々の制御（例えば、呼出など）を実行する。
【００３３】
第４通信部４２は、第４伝送路６４を介して接続された第２電気錠３（対応する第２電気錠３）の第３通信部３２との間で、第２電気錠３を解錠又は施錠する際に使用される鍵８のＩＤ情報８１を伝送するように構成されている。本実施形態では、住戸端末２又は共用端末４においてＩＤ情報８１が登録される構成であるため、第４通信部４２は、ＩＤ情報８１を第３通信部３２に向けて送信することになる。なお、第２電気錠３の第３記憶部３４に記憶されているＩＤ情報８１を、第３通信部３２から第４通信部４２に送信するように構成されていてもよい。
【００３４】
また、第４通信部４２は、音声信号、映像信号、呼出信号の少なくともいずれかの信号を含む通信信号を生成するように構成されている。第４通信部４２は、第１伝送路６１を介して、生成した通信信号を通信制御装置５へ送信する。この通信信号には、来訪者が指定した住戸Ａ１の住戸端末２に割り当てられたアドレスが含まれている。また、第４通信部４２は、通信制御装置５から送信された通信信号を受信する。第４通信部４２は、受信した通信信号を復調することで、ディジタルの音声信号を復元する。そして、第４通信部４２は、復元したディジタルの音声信号を通話部に出力する。さらに、第４通信部４２は、住戸端末２の住戸登録部２４において鍵８のＩＤ情報８１が登録された場合には、住戸端末２から送信されるＩＤ情報８１を、第１伝送路６１、第２伝送路６２及び通信制御装置５を介して受信する。
【００３５】
第４記憶部４３は、例えばフラッシュメモリ等の読み書き可能なメモリで構成されている。第４記憶部４３は、共用登録部４４において登録された鍵８のＩＤ情報８１、又は住戸端末２から送られてくるＩＤ情報８１と、対応する住戸端末２のアドレスと紐付けて記憶する。なお、第４記憶部４３は、第４制御部４１の内蔵メモリであってもよい。
【００３６】
共用登録部４４は、例えば共用端末４に設けられたタッチパネルを含み、施工業者などがタッチパネルを操作することにより鍵８のＩＤ情報８１を登録することができる。なお、共用登録部４４においてＩＤ情報８１を登録する場合、複数の住戸Ａ１においてそれぞれ使用される複数の鍵８のＩＤ情報８１を登録することができるようになっているのが好ましい。これにより、複数のＩＤ情報８１をまとめて登録することができる。
【００３７】
通話部は、マイクロホン、スピーカ、通話処理部などで構成されている。通話処理部は、第４通信部４２に接続されている。通話処理部は、第４通信部４２からのディジタルの音声信号をアナログの音声信号に変換し、変換したアナログの音声信号をスピーカに出力する。スピーカは、通話処理部からアナログの音声信号が入力されることにより、音声を出力する。また、通話処理部は、マイクロホンからのアナログの音声信号をディジタルの音声信号に変換し、変換したディジタルの音声信号を第４通信部４２に出力する。第４通信部４２は、ディジタルの音声信号を含む通信信号を生成し、生成した通信信号を住戸端末２に向けて送信する。
【００３８】
通信制御装置５は、図１に示すように、制御部５１と、伝送処理部５２と、記憶部５３とを備えている。
【００３９】
制御部５１は、ＣＰＵ及びメモリ等のハードウェアと、ＣＰＵで実行されるソフトウェア（プログラム）とで構成されている。制御部５１は、伝送処理部５２を制御するように構成されている。具体的には、制御部５１は、伝送処理部５２を制御することにより、来訪者に呼び出された住戸端末２と共用端末４との間の通信（通話）を中継する。
【００４０】
伝送処理部５２は、第１伝送路６１を介して、共用端末４の第４通信部４２に接続されている。また、伝送処理部５２は、第２伝送路６２を介して、複数の住戸端末２の第２通信部２２に接続されている。伝送処理部５２は、第４通信部４２から送信される通信信号を受信する。そして、伝送処理部５２は、受信した通信信号に含まれるアドレスに対応する住戸Ａ１の住戸端末２に向けて、当該通信信号を送信する。また、伝送処理部５２は、第２通信部２２から送信される通信信号を受信し、受信した通信信号を共用端末４に向けて送信する。つまり、通信制御装置５は、来訪者に呼び出された住戸Ａ１の住戸端末２と共用端末４とを接続し、両者間での通信（通話）を中継する。
【００４１】
記憶部５３は、例えばフラッシュメモリ等の読み書き可能なメモリで構成されている。記憶部５３には、鍵８のＩＤ情報８１と、データテーブルとが記憶されている。データテーブルは、住戸Ａ１の部屋番号と、住戸Ａ１の住戸端末２に割り当てられたアドレスとを紐付けたテーブルである。なお、記憶部５３は、制御部５１の内蔵メモリであってもよい。
【００４２】
次に、本実施形態の集合住宅用インターホンシステム１０の動作について、図２及び図３を参照して説明する。まず、住戸端末２の住戸登録部２４により登録された鍵８のＩＤ情報８１を共用端末４に向けて送信する場合について図２を参照して説明する。
【００４３】
住戸端末２の住戸登録部２４により、鍵８のＩＤ情報８１が登録される（ステップＳ１００）。このとき、施工業者などがタッチパネルを操作することにより、ＩＤ情報８１が登録される。第２制御部２１は、住戸登録部２４により登録されたＩＤ情報８１を第２記憶部２３に記憶させる（ステップＳ１０１）。また、第２制御部２１は、ＩＤ情報８１の送信を指示する操作入力（ステップＳ１０２）に従って、ＩＤ情報８１を含む通信信号を生成し、生成した通信信号を第２通信部２２から対応する第１電気錠１に向けて送信させる（ステップＳ１０３）。なお、上述の操作入力もタッチパネルにより行われる。
【００４４】
第１電気錠１において、住戸端末２からの通信信号を第１通信部１２が受信すると、第１制御部１１は、通信信号に含まれる鍵８のＩＤ情報８１を第１記憶部１４に記憶させる（ステップＳ１０４）。また、住戸端末２の第２制御部２１は、上記操作入力に従って、鍵８のＩＤ情報８１と自己の属する住戸端末２のアドレスとを含む通信信号を生成し、生成した通信信号を第２通信部２２から通信制御装置５に向けて送信させる（ステップＳ１０５）。
【００４５】
通信制御装置５において、住戸端末２からの通信信号を伝送処理部５２が受信すると、制御部５１は、通信信号に含まれる鍵８のＩＤ情報８１と送信元の住戸端末２のアドレスとを紐付けて記憶部５３に記憶させる（ステップＳ１０６）。また、制御部５１は、伝送処理部５２を制御することにより、住戸端末２からの通信信号を共用端末４に向けて送信させる（ステップＳ１０７）。
【００４６】
共用端末４において、通信制御装置５からの通信信号を第４通信部４２が受信すると、第４制御部４１は、通信信号に含まれる鍵８のＩＤ情報８１と送信元の住戸端末２のアドレスとを紐付けて第４記憶部４３に記憶させる（ステップＳ１０８）。また、第４制御部４１は、取得したＩＤ情報８１を含む通信信号を生成し、生成した通信信号を第４通信部４２から第２電気錠３に向けて送信させる（ステップＳ１０９）。
【００４７】
第２電気錠３において、共用端末４からの通信信号を第３通信部３２が受信すると、第３制御部３１は、通信信号に含まれる鍵８のＩＤ情報８１を第３記憶部３４に記憶させる（ステップＳ１１０）。
【００４８】
以上の手順により、住戸端末２の住戸登録部２４で登録された鍵８のＩＤ情報８１を、第１電気錠１の第１記憶部１４及び第２電気錠３の第３記憶部３４に記憶させることができる。その結果、認証部１３，３３は、それぞれ第１記憶部１４及び第３記憶部３４に記憶させた鍵８のＩＤ情報８１と、鍵８に記録されているＩＤ情報８１とを比較することで、鍵８が正規の鍵か否かを判定することができる。
【００４９】
続けて、共用端末４の共用登録部４４により登録された鍵８のＩＤ情報８１を特定の住戸端末２に向けて送信する場合について図３を参照して説明する。ここで、特定の住戸端末２とは、複数の住戸端末２のうち、鍵８のＩＤ情報８１を要求する要求信号を送ってきた住戸端末２のことをいう。すなわち、ここでは、特定の住戸端末２からの要求に応じて、共用端末４がＩＤ情報８１を送信する場合について説明する。つまり、本実施形態では、共用端末４の第４通信部４２が情報送信部となる。
【００５０】
共用端末４の共用登録部４４により、鍵８のＩＤ情報８１が登録される（ステップＳ２００）。このとき、施工業者などがタッチパネルを操作することにより、ＩＤ情報８１が登録される。第４制御部４１は、共用登録部４４により登録されたＩＤ情報８１と、このＩＤ情報８１を有する鍵８が使用される住戸Ａ１の住戸端末２のアドレスとを紐付けて第４記憶部４３に記憶させる（ステップＳ２０１）。また、第４制御部４１は、ＩＤ情報８１を含む通信信号を生成し、生成した通信信号を第４通信部４２から第２電気錠３に向けて送信させる（ステップＳ２０２）。なお、住戸端末２のアドレスは、施工業者などがタッチパネルを操作することにより、ＩＤ情報８１に紐付ける形で入力される。
【００５１】
第２電気錠３において、共用端末４からの通信信号を第３通信部３２が受信すると、第３制御部３１は、通信信号に含まれるＩＤ情報８１を第３記憶部３４に記憶させる（ステップＳ２０３）。なお、共用登録部４４により鍵８のＩＤ情報８１を登録する作業は、住戸端末２の台数と同じ数だけ繰り返し行われる。すなわち、ステップＳ２００〜Ｓ２０３の動作が繰り返し行われることになる。
【００５２】
ここで、特定の住戸端末２において、第２制御部２１が、鍵８のＩＤ情報８１を要求する要求信号を第２通信部２２から送信させると（ステップＳ２０４）、共用端末４との間に接続された通信制御装置５がこの要求信号を受信する。通信制御装置５の制御部５１は、要求信号を受信すると、受信した要求信号を伝送処理部５２から共用端末４に向けて送信させる（ステップＳ２０５）。なお、住戸端末２から送られてくる要求信号には、要求信号を送ってきた住戸端末２のアドレスが含まれている。また、上述の要求信号は、施工業者などがタッチパネルを操作することにより第２制御部２１が生成する。
【００５３】
共用端末４の第４制御部４１は、通信制御装置５から送られてくる要求信号を第４通信部４２にて受信すると、要求元の住戸端末２に向けた通信信号を生成する。この通信信号には、共用登録部４４で登録した複数のＩＤ情報８１のうち、要求元の住戸端末２に対応するＩＤ情報８１と、要求元の住戸端末２のアドレスとが含まれている。そして、第４制御部４１は、生成した通信信号を第４通信部４２から通信制御装置５に向けて送信させる（ステップＳ２０６）。
【００５４】
通信制御装置５において、共用端末４からの通信信号を伝送処理部５２が受信すると、制御部５１は、通信信号に含まれる鍵８のＩＤ情報８１と要求元の住戸端末２のアドレスとを紐付けて記憶部５３に記憶させる（ステップＳ２０７）。また、制御部５１は、伝送処理部５２を制御することにより、共用端末４からの通信信号を住戸端末２に向けて送信させる（ステップＳ２０８）。
【００５５】
住戸端末２において、通信制御装置５からの通信信号を第２通信部２２が受信すると、第２制御部２１は、通信信号に含まれるアドレスが自己のアドレスと一致するか否かを判定する。そして、第２制御部２１は、両者が一致する場合には、通信信号に含まれる鍵８のＩＤ情報８１を取得し、取得したＩＤ情報８１を第２記憶部２３に記憶させる（ステップＳ２０９）。一方、第２制御部２１は、通信信号に含まれるアドレスが自己のアドレスと一致しない場合には、受信した通信信号を破棄する。また、第２制御部２１は、取得したＩＤ情報８１を含む通信信号を生成し、生成した通信信号を第２通信部２２から第１電気錠１に向けて送信させる（ステップＳ２１０）。
【００５６】
第１電気錠１において、住戸端末２からの通信信号を第１通信部１２が受信すると、第１制御部１１は、通信信号に含まれる鍵８のＩＤ情報８１を第１記憶部１４に記憶させる（ステップＳ２１１）。
【００５７】
以上の手順により、共用端末４の共用登録部４４で登録された鍵８のＩＤ情報８１を、第１電気錠１の第１記憶部１４及び第２電気錠３の第３記憶部３４に記憶させることができる。その結果、認証部１３，３３は、それぞれ第１記憶部１４又は第３記憶部３４に記憶させたＩＤ情報８１と、鍵８に記録されているＩＤ情報８１とを比較することで、鍵８が正規の鍵か否かを判定することができる。
【００５８】
本実施形態では、互いに対応する第１電気錠１と住戸端末２とが第３伝送路６３を介して接続され、かつ第２電気錠３と共用端末４とが第４伝送路６４を介して接続されている。また、住戸端末２と共用端末４とは、第１伝送路６１、第２伝送路６２及び通信制御装置５を介して接続されている。これにより、住戸端末２の住戸登録部２４及び共用端末４の共用登録部４４のいずれかで鍵８のＩＤ情報８１を登録するだけで、鍵８の認証を行う第１電気錠１及び第２電気錠３に対して鍵８のＩＤ情報８１を送信することが可能になる。
【００５９】
また、本実施形態では、複数の住戸端末２及び複数の第１電気錠１のうち、互いに対応する住戸端末２と第１電気錠１とが第３伝送路６３を介して接続されており、第１通信部１２と第２通信部２２とが通信を行うことができる。そのため、例えば住戸端末２の第２記憶部２３に鍵８のＩＤ情報８１が記憶されていない場合でも、ＩＤ情報８１を第１電気錠１から取得することができ、ＩＤ情報８１を住戸端末２で活用することができる。例えば、住戸端末２に認証部が設けられている場合には、第１電気錠１から取得したＩＤ情報８１を用いて鍵８の認証を住戸端末２で行うことができる。
【００６０】
以上説明したように、上述の実施形態の集合住宅用インターホンシステム１０では、互いに対応する住戸端末２及び第１電気錠１（電気錠）において、第１通信部１２及び第２通信部２２が鍵８の情報（ＩＤ情報８１）を伝送するように構成されている。これにより、鍵８の情報を住戸端末２において活用することができる。
【００６１】
また、上述の実施形態の集合住宅用インターホンシステム１０のように、共用端末４と、通信制御装置５とをさらに備えていることが好ましい。共用端末４は、集合住宅の共用スペース（例えば、共用玄関）に設置されて、複数の住戸端末２の各々と通信する。通信制御装置５は、複数の住戸端末２の各々と共用端末４との間の通信を中継する。そして、通信制御装置５は、複数の住戸端末２及び共用端末４のうち少なくとも一方から送信される鍵８の情報を中継するように構成されている。この構成によれば、通信制御装置５を介して鍵８の情報を住戸端末２又は共用端末４に送信することができ、これにより鍵８の情報を住戸端末２と共用端末４とで共有することができる。ただし、この構成は集合住宅用インターホンシステム１０の必須の構成ではなく、共用端末４及び通信制御装置５は省略されていてもよい。
【００６２】
また、本実施形態の集合住宅用インターホンシステム１０のように、複数の住戸端末２の各々は、住戸登録部２４をさらに有していることが好ましい。住戸登録部２４は、複数の第１電気錠１のうち自己に対応する第１電気錠１に使用される鍵８の情報を登録する。この構成によれば、住戸端末２ごとに鍵８の情報を登録することができるので、例えば鍵８又は第１電気錠１を交換する際に有効である、という利点がある。ただし、この構成は集合住宅用インターホンシステム１０の必須の構成ではなく、例えば共用端末４の共用登録部４４において複数の鍵８の情報を登録するように構成されていてもよい。
【００６３】
また、本実施形態の集合住宅用インターホンシステム１０のように、共用端末４は、共用登録部４４を有していることが好ましい。共用登録部４４は、複数の第１電気錠１にそれぞれ使用される複数の鍵８の情報を登録する。この構成によれば、複数の鍵８の情報を共用端末４においてまとめて登録することができる。ただし、この構成は集合住宅用インターホンシステム１０の必須の構成ではなく、例えば複数の住戸端末２の住戸登録部２４の各々において鍵８の情報を登録するように構成されていてもよい。
【００６４】
また、本実施形態の集合住宅用インターホンシステム１０のように、通信制御装置５は、記憶部５３を有していることが好ましい。記憶部５３は、共用登録部４４で登録された複数の鍵８の情報を記憶する。この構成によれば、複数の鍵８の情報を通信制御装置５の記憶部５３に記憶させているので、複数の住戸端末２及び共用端末４に複数の鍵８の情報を記憶させなくてもよい、という利点がある。ただし、この構成は集合住宅用インターホンシステム１０の必須の構成ではなく、記憶部５３は省略されていてもよい。
【００６５】
また、本実施形態の集合住宅用インターホンシステム１０のように、共用端末４及び通信制御装置５のうち複数の情報を有する少なくとも一方は、情報送信部（第４通信部４２）をさらに有していることが好ましい。情報送信部は、複数の住戸端末２のうちいずれかの住戸端末２から要求があると、複数の情報のうち要求元の住戸端末２に対応する第１電気錠１に使用される鍵８の情報を要求元の住戸端末２に送信する。この構成によれば、要求元の住戸端末２に対して鍵８の情報を送信することができる。ただし、この構成は集合住宅用インターホンシステム１０の必須の構成ではなく、例えばスイッチ操作などのイベントが発生すると、情報送信部が鍵８の情報を送信するように構成されていてもよい。
【００６６】
ところで、上述した複数の第１電気錠１の各々は、第１センサと第２センサとをさらに備えていることが好ましい。第１センサは、第１情報及び第２情報の少なくとも一方を検知する。第１情報は、第１電気錠１の一部を構成するデッドボルトが施錠位置か解錠位置かを示す情報である。第２情報は、扉の開閉状態を示す情報である。言い換えれば、第１センサは、扉が開状態か閉状態かを検知する。第２センサは、第１電気錠１が電気的に施錠されたか解錠されたかを検知する。第１センサ及び第２センサの検知結果は、第３伝送路６３を介して対応する住戸端末２に送信される。住戸端末２の第２制御部２１は、第１センサ及び第２センサの検知結果に基づいて、第１電気錠１が正常に施錠又は解錠された否かを判定する。
【００６７】
第２制御部２１は、第２センサの検知結果から第１電気錠１が電気的に施錠されており、かつ第１センサの検知結果から扉が開状態にある場合、第１電気錠１の状態を異常と判定する。一方、第２制御部２１は、第２センサの検知結果から第１電気錠１が電気的に施錠されており、かつ第１センサの検知結果から扉が閉状態にある場合、第１電気錠１の状態を正常と判定する。
【００６８】
また、第２制御部２１は、第２センサの検知結果から第１電気錠１が電気的に解錠されており、かつ第１センサの検知結果から扉が閉状態にある場合、第１電気錠１の状態を異常と判定する。一方、第２制御部２１は、第２センサの検知結果から第１電気錠１が電気的に解錠されており、かつ第１センサの検知結果から扉が開状態にある場合、第１電気錠１の状態を正常と判定する。
【００６９】
そして、第２制御部２１が、動作モードとして、防犯モードと防犯解除モードとを有している場合には、第１センサ及び第２センサの検知結果に基づいて防犯モードと防犯解除モードとの切り替えを自動的に行うことができる。言い換えれば、第２制御部２１は、第１電気錠１の状態を異常と判定した場合には、動作モードが防犯解除モードに設定されていたとしても自動的に防犯モードに切り替えることができる。なお、居住者の場合には、正規の鍵８を用いて第１電気錠１を解錠するため、不審者と誤判断されにくくなる。
【００７０】
以下、本実施形態の変形例について説明する。
【００７１】
上述の実施形態では、共用玄関に設けられた扉を施錠又は解錠する第２電気錠３を例に説明したが、例えば共同玄関に設けられた自動ドアを自動的に施錠するオートロックに対して、鍵８を用いて解錠する構成であってもよい。また、上述の実施形態では、共用端末４がロビーインターホンである場合について説明したが、共用端末４は、集合住宅の共用スペースに設置されていればよく、例えば駐車場から建物への入り口に設置されていてもよい。すなわち、共用スペースは共用玄関（ロビー）に限定されない。
【００７２】
さらに、上述の実施形態では、第１電気錠１、住戸端末２、第２電気錠３、共用端末４、通信制御装置５のすべてに鍵８のＩＤ情報８１を記憶させているが、少なくとも住戸端末２、共用端末４及び通信制御装置５のいずれかにＩＤ情報８１を記憶させてあればよい。この場合、第１電気錠１又は第２電気錠３において鍵８の認証を行う際に、ＩＤ情報８１を記憶させてある住戸端末２、共用端末４及び通信制御装置５のいずれかから第１電気錠１又は第２電気錠３にＩＤ情報８１を送信するように構成されていればよい。
【００７３】
また、上述の実施形態では、共用端末４の第４通信部４２が情報送信部である場合について説明したが、通信制御装置５の伝送処理部５２が情報送信部であってもよい。つまり、伝送処理部５２が、住戸端末２からの要求に応じて、鍵８のＩＤ情報８１を要求元の住戸端末２に送信するように構成されていてもよい。
【００７４】
さらに、上述の実施形態では、住戸端末２からの要求に応じて鍵８のＩＤ情報８１を送信するプル型配信の場合について説明したが、いわゆるプッシュ型配信であってもよい。例えば、共用端末４に設けられた操作部を操作するなどのイベントが発生すると、共用端末４の第４通信部４２又は通信制御装置５の伝送処理部５２が、鍵８のＩＤ情報８１を住戸端末２に送信するように構成されていてもよい。また、第４通信部４２又は伝送処理部５２が、鍵８のＩＤ情報８１を住戸端末２に定期的に送信するように構成されていてもよい。
【００７５】
言い換えれば、共用端末４及び通信制御装置５のうち複数の情報を有する少なくとも一方は、情報送信部（第４通信部４２又は伝送処理部５２）を有していることが好ましい。この場合、情報送信部は、イベントが発生すると、複数の住戸端末２の各々に対して、複数の情報のうち複数の住戸端末２の各々に対応する第１電気錠１に使用される鍵８の情報を送信する。この構成によれば、イベントを発生させることにより、鍵８の情報を住戸端末２に送信することができる。ただし、この構成は集合住宅用インターホンシステム１０の必須の構成ではなく、例えば住戸端末２からの要求に応じて、情報送信部が鍵８の情報を送信するように構成されていてもよい。
【００７６】
また、上述の実施形態では、鍵８のＩＤ情報８１と住戸端末２のアドレスとを紐付けて共用端末４の第４記憶部４３に記憶させているが、ＩＤ情報８１のみを第４記憶部４３に記憶させてもよい。
【符号の説明】
【００７７】
１  第１電気錠（電気錠）
２  住戸端末
４  共用端末
５  通信制御装置
８  鍵
１０  集合住宅用インターホンシステム
１２  第１通信部
２２  第２通信部
２４  住戸登録部
４２  第４通信部（情報送信部）
４４  共用登録部
５２  伝送処理部（情報送信部）
Ａ１  住戸
【図１】
0006664095.tif 000002
【図２】
0006664095.tif 000003
【図３】
0006664095.tif 000004